(57)【要約】【課題】ユーザの意図に反したキーロック機能の解除が行われにくい携帯電話機１を提供する。【解決手段】ＣＰＵ１００は、キーロック機能を解除するための解除画面を表示面１１ａ１、２１ａ１に表示させ、解除画面に含まれるオブジェクト画像ＯＩがユーザによりタッチされ、タッチ位置が移動されると、前記タッチ位置の移動に応じて、オブジェクト画像ＯＩを移動させる。さらに、ＣＰＵ１００は、解除画面において、キーロック機能の解除のためにオブジェクト画像ＯＩが移動される方向が一つに制限されないように、キーロック機能の解除領域ＲＡを設定し、オブジェクト画像ＯＩに対する前記タッチ位置が解除領域ＲＡへ移動されると、キーロック機能を解除する。
2012124454.tif 000002
【特許請求の範囲】
【請求項１】
表示面に画像が表示される表示部と、
前記表示面に対するタッチ入力を検出する検出部と、
前記表示部を制御する表示制御部と、
前記表示面への所定のタッチ入力を無効にするキーロック機能の解除を制御する機能制御部と、を備え、
前記表示制御部は、
前記キーロック機能を解除するための解除画面を前記表示面に表示させ、
前記解除画面に含まれるオブジェクト画像がユーザによりタッチされ、タッチ位置が移動されると、前記タッチ位置の移動に応じて、前記オブジェクト画像を移動させ、
前記機能制御部は、
前記解除画面において、前記キーロック機能の解除のために前記オブジェクト画像が移動される方向が一つに制限されないように、前記キーロック機能の解除領域を設定し、
前記オブジェクト画像に対する前記タッチ位置が前記解除領域へ移動されると、前記キーロック機能を解除する、
ことを特徴とする携帯端末装置。
【請求項２】
請求項１に記載の携帯端末装置において、
解除画面において、前記オブジェクト画像の開始位置から離れて位置する孤の外側の領域が前記解除領域に設定される、
ことを特徴とする携帯端末装置。
【請求項３】
請求項１に記載の携帯端末装置において、
解除画面において、前記オブジェクト画像の開始位置から離れた位置に設定される領域が前記解除領域に設定される、
ことを特徴とする携帯端末装置。
【請求項４】
請求項１に記載の携帯端末装置において、
前記表示制御部は、前記オブジェクト画像に対する前記タッチ位置が前記解除領域に移動される過程において、前記オブジェクト画像を、前記タッチ位置の移動方向における前記解除領域の手前位置に留める、
ことを特徴とする携帯端末装置。
【請求項５】
請求項４に記載の携帯端末装置において、
前記表示制御部は、前記解除領域と所定距離離れた前記手前位置に前記オブジェクト画像を留める、
ことを特徴とする携帯端末装置。
【請求項６】
請求項５に記載の携帯端末装置において、
前記表示制御部は、前記オブジェクト画像に対する前記タッチ位置が前記解除領域に移動されると、前記オブジェクト画像の表示態様を変更する、
ことを特徴とする携帯端末装置。
【請求項７】
請求項１に記載の携帯端末装置において、
報知手段を切り替える報知手段制御部をさらに備え、
前記解除画面は、前記オブジェクト画像と異なる他のオブジェクト画像を含み、
前記表示制御部は、
前記検出部により検出されたタッチ入力に応じて、前記他のオブジェクト画像を移動させ、
前記機能制御部は、
前記解除画面において前記報知手段の切替領域を設定し、
前記検出部により前記他のオブジェクト画像を前記切替領域に移動させるタッチ入力が検出されると、前記報知手段を切り替える、
ことを特徴とする携帯端末装置。
【請求項８】
請求項７に記載の携帯端末装置において、
前記報知手段は、音による報知および振動による報知を含み、
前記報知手段制御部は、前記他のオブジェクト画像が前記切替領域に移動されると、前記音による報知と前記振動による報知とを切り替える、
ことを特徴とする携帯端末装置。
【請求項９】
表示面に画像が表示される表示部と、前記表示面に対するタッチ入力を検出する検出部と、を備える携帯端末装置のコンピュータに、
前記表示面への所定のタッチ入力を無効にするキーロック機能の解除するための解除画面を前記表示面に表示させ、前記解除画面に含まれるオブジェクト画像がユーザによりタッチされ、タッチ位置が移動されると、前記タッチ位置の移動に応じて、前記オブジェクト画像を移動させる機能と、
前記解除画面において、前記キーロック機能の解除のために前記オブジェクト画像が移動される方向が一つに制限されないように、前記キーロック機能の解除領域を設定し、前記オブジェクト画像に対する前記タッチ位置が前記解除領域へ移動されると、前記キーロック機能を解除する機能と、
を付与するプログラム。
【請求項１０】
表示面に画像が表示される表示部と、前記表示面に対するタッチ入力を検出する検出部と、を備える携帯端末装置のロック解除方法であって、
前記表示面への所定のタッチ入力を無効にするキーロック機能の解除するための解除画面を前記表示面に表示させるステップと、
前記解除画面に含まれるオブジェクト画像がユーザによりタッチされ、タッチ位置が移動されると、前記タッチ位置の移動に応じて、前記オブジェクト画像を移動させるステップと、
前記オブジェクト画像に対する前記タッチ位置が、前記キーロック機能の解除のために前記オブジェクト画像が移動される方向が一つに制限されないように前記解除画面に設定された前記解除領域へ移動されると、前記キーロック機能を解除するステップと、
を含むロック解除方法。
【発明の詳細な説明】
【技術分野】
【０００１】
本発明は、携帯電話機やＰＤＡ（Personal Digital Assistant）等の携帯端末装置、および携帯端末装置に用いて好適なプログラムおよびロック解除方法に関するものである。
【背景技術】
【０００２】
従来、携帯端末装置には、キーボタンやタッチパネルに対する入力を無効にするキーロック機能が設けられている。かかるキーロック機能が携帯端末装置に設定されていると、ユーザはキーロック機能を解除してから携帯端末装置を使用することになる。【０００３】
かかる携帯端末装置では、たとえば、設定したキーボタンが設定時間以上押し続けられると、キーロック機能が解除される。
【発明の概要】
【発明が解決しようとする課題】
【０００４】
上記の構成では、携帯端末装置がかばんの中に入っているときに、設定されたキーボタンに物が偶然に当たり続けることが起こり得る。このような場合には、ユーザの意図に反して、キーロック機能が簡単に解除されてしまう虞がある。【０００５】
本発明は、かかる課題に鑑みてなされたものであり、ユーザの意図に反したキーロック機能の解除が行われにくい携帯端末装置、プログラムおよびロック解除方法を提供することを目的とする。
【課題を解決するための手段】
【０００６】
本発明の第１の態様に係る携帯端末装置は、表示面に画像が表示される表示部と、前記表示面に対するタッチ入力を検出する検出部と、前記表示部を制御する表示制御部と、前記表示面への所定のタッチ入力を無効にするキーロック機能の解除を制御する機能制御部と、を備える。ここで、前記表示制御部は、前記キーロック機能を解除するための解除画面を前記表示面に表示させ、前記解除画面に含まれるオブジェクト画像がユーザによりタッチされ、タッチ位置が移動されると、前記タッチ位置の移動に応じて、前記オブジェクト画像を移動させる。前記機能制御部は、前記解除画面において、前記キーロック機能の解除のために前記オブジェクト画像が移動される方向が一つに制限されないように、前記キーロック機能の解除領域を設定し、前記オブジェクト画像に対する前記タッチ位置が前記解除領域へ移動されると、前記キーロック機能を解除する。【０００７】
本発明の第２の態様に係るプログラムは、表示面に画像が表示される表示部と、前記表示面に対するタッチ入力を検出する検出部と、を備える携帯端末装置のコンピュータに、前記表示面への所定のタッチ入力を無効にするキーロック機能の解除するための解除画面を前記表示面に表示させ、前記解除画面に含まれるオブジェクト画像がユーザによりタッチされ、タッチ位置が移動されると、前記タッチ位置の移動に応じて、前記オブジェクト画像を移動させる機能と、前記解除画面において、前記キーロック機能の解除のために前記オブジェクト画像が移動される方向が一つに制限されないように、前記キーロック機能の解除領域を設定し、前記オブジェクト画像に対する前記タッチ位置が前記解除領域へ移動されると、前記キーロック機能を解除する機能と、を付与する。【０００８】
本発明の第３の態様は、表示面に画像が表示される表示部と、前記表示面に対するタッチ入力を検出する検出部と、を備える携帯端末装置のロック解除方法に関する。本態様に係るロック解除方法は、前記表示面への所定のタッチ入力を無効にするキーロック機能の解除するための解除画面を前記表示面に表示させるステップと、前記解除画面に含まれるオブジェクト画像がユーザによりタッチされ、タッチ位置が移動されると、前記タッチ位置の移動に応じて、前記オブジェクト画像を移動させるステップと、前記オブジェクト画像に対する前記タッチ位置が、前記キーロック機能の解除のために前記オブジェクト画像が移動される方向が一つに制限されないように前記解除画面に設定された前記解除領域へ移動されると、前記キーロック機能を解除するステップと、を含む。
【発明の効果】
【０００９】
本発明によれば、ユーザの意図に反したキーロック機能の解除が行われにくい携帯端末装置を提供することができる。【００１０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１１】
【図１】実施の形態に係る、携帯電話機の外観構成を示す図である。
【図２】実施の形態に係る、携帯電話機の状態の切り替えを説明するための図である。
【図３】実施の形態に係る、携帯電話機の全体構成を示すブロック図である。
【図４】実施の形態に係る、解除画面を各表示面に表示した図である。
【図５】実施の形態に係る、解除画面を各表示面に表示した図である。
【図６】実施の形態に係る、オブジェクト画像の表示位置を解除領域に移動させる操作がなされることによりキーロック機能が解除される処理手順を示すフローチャートである。
【図７】実施の形態に係る、リリース時点におけるオブジェクト画像の表示位置が解除領域にあればキーロック機能が解除される処理手順を示すフローチャートである。
【図８】実施の形態に係る、オブジェクト画像の表示位置が解除領域に所定時間以上あればキーロック機能が解除される処理手順を示すフローチャートである。
【図９】実施の形態に係る、オブジェクト画像の表示位置が解除領域の同じ位置に所定時間以上あればキーロック機能が解除される処理手順を示すフローチャートである。
【図１０】実施の形態に係る、解除画面を各表示面に表示した図である。
【図１１】実施の形態に係る、解除画面を各表示面に表示した図である。
【図１２】実施の形態に係る、解除画面を各表示面に表示した図である。
【図１３】実施の形態に係る、解除画面を閉状態の第１表示面に表示した図である。
【図１４】実施の形態に係る、解除画面を開状態の各表示面に表示した図である。
【図１５】実施の形態に係る、携帯電話機が閉じられた状態においてキーロック機能を解除するための構成例について説明するための図である。
【図１６】実施の形態に係る、携帯電話機が閉じられた状態においてキーロック機能を解除するための構成例について説明するための図である。
【図１７】実施の形態に係る、携帯電話機が閉じられた状態においてキーロック機能を解除するための構成例について説明するための図である。
【図１８】実施の形態に係る、携帯電話機が閉じられた状態においてキーロック機能を解除するための構成の変更例について説明するための図である。
【図１９】実施の形態に係る、携帯電話機が閉じられた状態においてキーロック機能を解除するための構成の変更例について説明するための図である。
【図２０】実施の形態に係る、携帯電話機が閉じられた状態においてキーロック機能を解除するための構成の変更例について説明するための図である。
【図２１】実施の形態に係る、携帯電話機が閉じられた状態においてキーロック機能を解除するための構成の更なる変更例について説明するための図である。
【００１２】
ただし、図面は主として本実施形態の一例の説明に用いられており、この発明の範囲を限定するものではない。
【発明を実施するための形態】
【００１３】
以下、本発明の実施の形態について、図面を参照して説明する。
【００１４】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１５】
第１キャビネット１０は、横長の直方体形状を有する。第１キャビネット１０の正面には、第１タッチパネルが配されている。第１タッチパネルは、第１ディスプレイ１１および第１タッチセンサ１２を含む。
【００１６】
第１ディスプレイ１１は、第１表示面１１ａ１に画像を表示する表示部に相当する。第１ディスプレイ１１は、第１液晶パネル１１ａおよび第１バックライト１１ｂ（図３参照）で構成されている。第１液晶パネル１１ａの前面に第１表示面１１ａ１が設けられる。第１表示面１１ａ１上に第１タッチセンサ１２が重ねられている。第１バックライト１１ｂは、１つまたは複数の光源を含み、第１液晶パネル１１ａを照明する。
【００１７】
第１タッチセンサ１２は、第１ディスプレイ１１に対する入力を検出する検出部に相当する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その入力位置に応じた位置信号を出力する。ユーザが第１表示面１１ａ１を触れるとは、たとえば、ユーザがペンなどの接触部材や指で第１表示面１１ａ１をタッチすることである。第１表示面１１ａ１にタッチした接触部材や指はユーザにより静止されてもよいし、移動されてしてもよい。また、接触部材や指が第１表示面１１ａ１にタッチしている時間は短くても、長くてもよい。
【００１８】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００１９】
また、第１キャビネット１０の内部には、前面近傍の中央位置に磁石１５が配されており、右前角部に磁石１６が配されている。
【００２０】
第１キャビネット１０の右側面および左側面のそれぞれには、突起部１７が設けられている。
【００２１】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１および第２タッチセンサ２２を含む。
【００２２】
第２ディスプレイ２１は、第２表示面２１ａ１に画像を表示する表示部に相当する。第２ディスプレイ２１は、第２液晶パネル２１ａおよび第２バックライト２１ｂ（図３参照）で構成されている。第２液晶パネル２１ａの前面に第２表示面２１ａ１が設けられる。第２バックライト２１ｂは１つまたは複数の光源を含み、第２液晶パネル２１ａを照明する。第１ディスプレイ１１および第２ディスプレイ２１は、有機ＥＬ等他の表示素子により構成されてもよい。
【００２３】
第２タッチセンサ２２は、第２ディスプレイ２１に対する入力を検出する検出部に相当する。第２タッチセンサ２２は、第１タッチセンサ１２と同様の形状および構成を有する。第２タッチセンサ２２は、第２ディスプレイ２１の第２表示面２１ａ１を覆い、ユーザが触れた第２表示面２１ａ１上の位置を検出し、その入力位置に応じた位置信号を出力する。
【００２４】
第２キャビネット２０の内部には、後面近傍の中央位置に磁石２４が配されている。
この磁石２４と第１キャビネット１０の磁石１５とは、後述する開状態で互いに引き合う。
【００２５】
第２キャビネット２０の内部において、右前角部には閉鎖センサ２５が配されている。閉鎖センサ２５は、たとえば、ホールＩＣなどで構成される。閉鎖センサ２５は、磁石１６の磁力を検出すると、センサ信号を出力する。後述する閉状態では、第１キャビネット１０の磁石１６が閉鎖センサ２５に接近するので、センサ信号が閉鎖センサ２５からＣＰＵ１００へ出力される。一方、閉状態から開状態になると、第１キャビネット１０の磁石１６が閉鎖センサ２５から離れるので、閉鎖センサ２５からセンサ信号が出力されない。
【００２６】
第２キャビネット２０の両側面にはそれぞれ２つの軸部２７が設けられている。
【００２７】
保持体３０は、底板部３１と、底板部３１の右端部に形成された右保持部３２と、底板部３１の左端部に形成された左保持部３３とで構成されている。
【００２８】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０を上方に押し上げる力を発揮する。
【００２９】
右保持部３２の上面にはマイク３５および電源キー３６が配されている。左保持部３３の上面には、スピーカ３８が配されている。また、右保持部３２の外側面には、複数のハードキー３７が配されている。
【００３０】
右保持部３２および左保持部３３の内側面には、案内溝３９（左保持部３３側のみ図示）が形成されている。案内溝３９は、上溝３９ａ、下溝３９ｂおよび２つの縦溝３９ｃにより構成されている。上溝３９ａおよび下溝３９ｂは前後方向に延び、縦溝３９ｃは、上溝３９ａと下溝３９ｂとを繋ぐように上下に延びる。
【００３１】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が保持体３０の収容領域Ｒ内に収まる。第１キャビネット１０は、第２キャビネット２０の上に配置される。
【００３２】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに沿って前後にスライド可能である。第２キャビネット２０は、下溝３９ｂに沿って前後にスライド可能である。また、第２キャビネット２０が前方に移動し、軸部２７が縦溝３９ｃまで到達すると、第２キャビネット２０は、縦溝３９ｃに沿って上下にスライド可能となる。
【００３３】
図２（ａ）〜図２（ｄ）は、携帯電話機１を閉状態から開状態へ切り替えるための操作について説明するための図である。
【００３４】
図２（ａ）に示す閉状態は、携帯電話機１が畳まれた状態である。閉状態では、第１キャビネット１０が第２キャビネット２０の上に重ねられる。閉状態は、第１キャビネット１０により第２表示面２１ａ１が覆われる第１形態に相当する。閉状態では、第１表示面１１ａ１のみが外部に露出する。
【００３５】
図２（ｂ）に示すように、第１キャビネット１０が後方に移動され、図２（ｃ）に示すように、第２キャビネット２０が前方へ引き出される。これにより、閉鎖センサ２５が磁石１６の磁力を検出せず、センサ信号を出力しなくなると、携帯電話機１は開状態に切り替えられる。この開状態では、第２表示面２１ａ１の一部が外部に現れる。
【００３６】
第２キャビネット２０が第１キャビネット１０に重ならなくなると、図１に示す軸部２７が縦溝３９ｃに入る。そして、軸部２７が縦溝３９ｃに沿って動くことが可能となるため、第２キャビネット２０が上下に移動可能になる。このとき、コイルバネ３４の弾性力と、磁石１５および磁石２４の引力とにより、第２キャビネット２０が上昇する。
【００３７】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００３８】
開状態は、図２（ｂ）〜図２（ｄ）に示すように、第２表示面２１ａ１の少なくとも一部が外部に露出する第２形態に相当する。
【００３９】
また、突起部１７が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１７、軸部２７および案内溝３９が閉状態および開状態を切替可能な切替部に相当する。
【００４０】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０およびクロック３１１を備えている。
【００４１】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００４２】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４３】
キー入力回路３０３は、電源キー３６やハードキー３７の各キーが押されたときに、各キーに応じた入力信号をＣＰＵ１００へ出力する。
【００４４】
通信モジュール３０４は、ＣＰＵ１００からのデータを無線信号に変換し、アンテナ３０４ａを介して基地局へ送信する。また、通信モジュール３０４は、アンテナ３０４ａを介して受信した無線信号をデータに変換してＣＰＵ１００へ出力する。
【００４５】
バックライト駆動回路３０５は、ＣＰＵ１００からの制御信号に応じた駆動信号を第１バックライト１１ｂおよび第２バックライト２１ｂに供給する。第１バックライト１１ｂは、バックライト駆動回路３０５による駆動信号により点灯し、第１液晶パネル１１ａを照明する。第２バックライト２１ｂは、バックライト駆動回路３０５による駆動信号により点灯し、第２液晶パネル２１ａを照明する。
【００４６】
映像デコーダ３０６は、ＣＰＵ１００からの画像データを第１液晶パネル１１ａおよび第２液晶パネル２１ａで表示できる映像信号に変換し、これらを液晶パネル１１ａ、２１ａに出力する。第１液晶パネル１１ａは、映像信号に応じた第１画面を第１表示面１１ａ１に表示する。第２液晶パネル２１ａは、映像信号に応じた第２画面を第２表示面２１ａ１に表示する。
【００４７】
音声デコーダ３０７は、ＣＰＵ１００からの音声信号と、着信音やアラーム音等の各種報知音の音信号とにデコード処理を施し、さらにアナログの音声信号に変換してスピーカ３８に出力する。スピーカ３８は、音声デコーダ３０７からの音信号や音声信号を再生する。
【００４８】
バッテリー３０９は、ＣＰＵ１００やＣＰＵ１００以外の各部へ電力を供給する。バッテリー３０９は電源部３１０に接続されている。
【００４９】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５０】
クロック３１１は、時間を計測し、計測した時間を応じた信号をＣＰＵ１００へ出力する。
【００５１】
メモリ２００は、ＲＯＭおよびＲＡＭを含む。
【００５２】
メモリ２００には、ＣＰＵ１００に制御機能を付与するための制御プログラムが記憶されている。かかる制御プログラムには、開始位置Ｐ０から所定距離、たとえば３２０ｐｘ以上離れた解除領域ＲＡにオブジェクト画像ＯＩの表示位置Ｐを移動させる入力が検出されると、キーロック機能が解除される制御プログラムが含まれる。
【００５３】
メモリ２００には、カメラモジュール１４で撮影した画像データ、通信モジュール３０４を介して外部から取り込んだデータ、および各タッチセンサ１２、２２により入力されたデータが所定のファイル形式で保存される。メモリ２００には、後述するキーロック機能を解除するための画面（以下、「解除画面」と言う。）の画像データが記憶されている。また、メモリ２００には、解除画面に含まれるオブジェクト画像ＯＩの開始位置Ｐ０が記憶されている。
【００５４】
メモリ２００には、共通表示座標系および個別表示座標系が記憶されている。個別表示座標系では、第１表示面１１ａ１の表示座標系と第２表示面２１ａ１の表示座標系とが個別に設けられる。共通表示座標系では、第１表示面１１ａ１の表示座標系と第２表示面２１ａ１の表示座標系とが共通し、第１表示面１１ａ１の座標軸Ｘは第２表示面２１ａ１の座標軸Ｘと連続する。
【００５５】
メモリ２００には、操作量−移動距離対応情報が記憶されている。操作量−移動距離対応情報には、フリックにおいてリリース前にユーザによりなされた操作量と、リリース後にオブジェクト画像ＯＩが移動する量とが対応付けられている。ユーザによる操作量は、ユーザが表示面１１ａ１、２１ａ１に表示されるオブジェクト画像ＯＩを指などでフリックした際、ユーザがオブジェクト画像ＯＩから指などをリリースする前に入力位置が移動する速度（以下、「入力位置の移動速度」と言う）を示す。解除画面におけるオブジェクト画像ＯＩの移動量は、リリース後にオブジェクト画像ＯＩが移動する速度および距離Ｃを示す。
【００５６】
オブジェクト画像ＯＩがユーザによりタッチされ、入力位置がオブジェクト画像ＯＩの開始位置Ｐ０に一致してから、所定時間毎に入力位置が取得され、その入力位置がメモリ２００に一時的に記憶される。このため、リリース後に、リリース前の入力位置がメモリから読み出されて、所定時間毎の入力位置からリリース前の入力位置の移動速度が求められる。
【００５７】
操作量−移動距離対応情報は、入力位置の移動速度とオブジェクト画像ＯＩの移動速度および移動距離Ｃとが対応付けられたテーブルであってもよい。また、操作量−移動距離対応情報は、入力位置の移動速度からオブジェクト画像ＯＩの移動速度および移動距離Ｃを計算するための演算式であってもよい。
【００５８】
さらに、操作量−移動距離対応情報では、入力位置の移動速度が大きいほど、オブジェクト画像ＯＩが速く、長い距離を移動するように設定される。これにより、ユーザが両表示面１１ａ１、２１ａ１にタッチした指を速く移動させるほど、オブジェクト画像ＯＩは速く長い距離を移動する。
【００５９】
ＣＰＵ１００は、キー入力回路３０３および各タッチセンサ１２、２２からの操作入力信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、省電力機能およびキーロック機能等の各種アプリケーションを実行する。
【００６０】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。ＣＰＵ１００は、各表示面１１ａ１、２１ａ１に画像を表示する際のコントラスト、輝度、画面サイズ、および画面の透明度なども制御する。
【００６１】
たとえば、ＣＰＵ１００は、キーロック機能が設定されると、解除画面の画像データをメモリ２００から読み出して、解除画面を第１および第２表示面１１ａ１、２１ａ１に表示する。キーロック機能が設定された後に各バックライト１１ｂ、２１ｂが消灯された状態で、各表示面１１ａ１、２１ａ１がタッチされたり、ハードキー３７が押されたりすると、解除画面が表示される。また、解除画面が表示される際には、共通表示座標系がメモリ２００から読み出され、共通表示座標系に基づいてＣＰＵ１００による制御がなされる。
【００６２】
解除画面は、オブジェクト画像ＯＩを含む。図４（ａ）に示す解除画面では、１つのオブジェクト画像ＯＩは、予め定められた開始位置Ｐ０に配される。図４（ｂ）に示すように、解除画面において、第１表示面１１ａ１の表示座標系と第２表示面２１ａ１の表示座標系は共通する。
【００６３】
オブジェクト画像ＯＩは、ユーザによりスライドやフリックの操作がなされると解除画面において移動される。オブジェクト画像ＯＩを、たとえば、開始位置Ｐ０から所定距離：３２０ｐｘ以上移動する操作が所定時間：０．２秒の間になされると、フリックがなされたと判断される。また、オブジェクト画像ＯＩが、たとえば、開始位置Ｐ０から所定距離：３２０ｐｘ以上移動される操作が所定時間：０．２秒より長い時間の間になされると、スライドがなされたと判断される。
【００６４】
具体的には、ユーザが各表示面１１ａ１、２１ａ１のオブジェクト画像ＯＩにタッチした指をスライドし、各タッチセンサ１２、２２からＣＰＵ１００へ位置信号が出力されている間、位置信号の入力位置にオブジェクト画像ＯＩの表示位置Ｐが合わせられる。これにより、図４（ｂ）に示すように、ユーザがタッチした入力位置にオブジェクト画像ＯＩが表示されて、各タッチセンサ１２、２２からの位置信号の入力位置の動きに応じて、オブジェクト画像ＯＩの表示位置Ｐが移動される。オブジェクト画像ＯＩにタッチした指が第１表示面１１ａ１から第２表示面２１ａ１に移る際、第１タッチセンサ１２からの位置信号が出力されなくなってから、第２タッチセンサ２２から位置信号が出力されるまでの間に、いずれのタッチセンサ１２、２２からも位置信号がＣＰＵへ出力されない時間がある。この時間が所定時間未満であれば、オブジェクト画像ＯＩを移動させる操作が連続していると判断される。一方、この時間が所定時間以上になると、オブジェクト画像ＯＩにタッチされた指はリリースされたと判断されて、オブジェクト画像ＯＩは開始位置Ｐ０に戻るように表示される。
【００６５】
また、フリックによりオブジェクト画像ＯＩにタッチしていた指が各表示面１１ａ１、２１ａ１からリリースされると、メモリ２００の操作量−移動距離対応情報に基づいて、リリース前の入力位置の移動速度からオブジェクト画像ＯＩの移動速度および移動距離Ｃが求められる。これにより、リリース時の表示位置Ｐｎから、求められた移動速度で移動距離Ｃ、オブジェクト画像ＯＩが移動するように表示される。
【００６６】
また、キーロック機能が解除されると、ＣＰＵ１００は、解除画面に代えて操作画面を各表示面１１ａ１、２１ａ１に表示する。操作画面は、キーロック機能解除と判断されてから所定時間後に表示されてもよい。操作画面は、予め定められた画面であってもよいし、キーロック機能設定前にユーザが操作していた画面であってもよい。
【００６７】
さらに、省電力機能のアプリケーションが起動されると、ＣＰＵ１００は、各バックライト１１ｂ、２１ｂを消灯する。たとえば、各タッチセンサ１２、２２およびキー入力回路３０３からの入力信号が無くなってからの経過時間が所定時間を超えると、省電力機能が設定され、各バックライト１１ｂ、２１ｂが消灯される。また、省電力機能を設定する処理が割り当てられたハードキー３７が操作されると、省電力機能が設定され、各バックライト１１ｂ、２１ｂが消灯される。
【００６８】
一方、省電力機能を解除するための所定のハードキー３７または任意のハードキー３７が操作されると、省電力機能が解除され、ＣＰＵ１００は、各バックライト１１ｂ、２１ｂを点灯する。
【００６９】
ＣＰＵ１００は、機能制御部として、ユーザからの入力情報やプログラムからの情報に従ってキーロック機能を設定および解除する。
【００７０】
たとえば、各表示面１１ａ１、２１ａ１に表示されるアイコンやハードキー３７にキーロック機能を設定する処理が割り当てられている場合、そのアイコンやハードキー３７がユーザにより操作されると、キーロック機能が設定される。具体的には、電源キー３６が所定時間以上押された場合、キーロック機能が設定される。
【００７１】
キーロック機能が設定され、解除画面が表示されると、解除画面のオブジェクト画像ＯＩに対する入力のみが各タッチセンサ１２、２２により受け付けられる。このため、オブジェクト画像ＯＩに対する入力以外の入力は無効になり、キーロック機能を解除するための操作以外の入力に応じた処理は実行されない。
【００７２】
また、キーロック機能が設定された状態で、各バックライト１１ｂ、２１ｂが消灯されると、各バックライト１１ｂ、２１ｂを点灯するための入力以外の入力は無効になる。このため、各バックライト１１ｂ、２１ｂを点灯する処理が割り当てられたハードキー３７が操作されると、処理が実行され、各バックライト１１ｂ、２１ｂを点灯する。各バックライト１１ｂ、２１ｂが消灯された状態では、解除画面が表示されないことから、解除画面のオブジェクト画像ＯＩに対する入力が行えなくなる。
【００７３】
さらに、各タッチセンサ１２、２２およびキー入力回路３０３からの入力信号が無くなってからの経過時間が所定時間を超えると、キーロック機能が設定される。
【００７４】
一方、解除画面においてオブジェクト画像ＯＩを開始位置Ｐ０から所定距離以上移動させる操作がユーザによりなされると、キーロック機能が解除される。図４（ａ）および図４（ｂ）の点線で表わされた弧は、オブジェクト画像ＯＩの開始位置Ｐ０から所定距離離れた位置を示す。また、第１表示面１１ａ１と第２表示面２１ａ１とを合わせた表示領域において、開始位置Ｐ０から所定距離以上離れた領域を解除領域ＲＡと称する。
【００７５】
たとえば、ユーザがオブジェクト画像ＯＩにタッチした指を開始位置Ｐ０からスライドさせると、オブジェクト画像ＯＩの表示位置Ｐは入力位置に対応して移動し、移動した表示位置Ｐと開始位置Ｐ０との間の距離Ｌが求められる。図４（ｂ）に示すように、第１表示面１１ａ１の表示座標系と第２表示面２１ａ１の表示座標系は共通することから、オブジェクト画像ＯＩの開始位置Ｐ０（ｘ０、ｙ０）とオブジェクト画像ＯＩの表示位置Ｐ（ｘ、ｙ）との間の距離Ｌは、｛（ｘ−ｘ０）２＋（ｙ−ｙ０）２｝１／２で表わされる。この距離Ｌが所定距離Ｌｆ：３２０ｐｘより大きければ、オブジェクト画像ＯＩが解除領域ＲＡに移動させられたと判断される。これにより、キーロック機能が解除される。
【００７６】
また、ユーザがオブジェクト画像ＯＩにタッチした指をフリックによりリリースすると、操作量−移動距離対応情報に基づいてリリース前の入力位置の移動速度からオブジェクト画像ＯＩの移動距離Ｃが求められる。このフリックによりオブジェクト画像ＯＩの表示位置Ｐはリリース時の表示位置Ｐｎから移動距離Ｃだけ移動する。図５に示すように、第１表示面１１ａ１の表示座標系と第２表示面２１ａ１の表示座標系は共通することから、フリックによる表示位置Ｐ（ｘ、ｙ）は、リリース時の表示位置Ｐｎ（ｘｎ、ｙｎ）および移動距離Ｃから求められる。このため、移動距離ＣのＸ軸方向の距離をＣｘとし、Ｙ軸方向の距離をＣｙとすると、フリックにより移動させられたオブジェクトＯＩの表示位置Ｐは（ｘｎ＋Ｃｘ、ｙｎ＋Ｃｙ）で表わされる。この表示位置Ｐと開始位置Ｐ０との間の距離Ｌは、｛（ｘｎ＋Ｃｘ−ｘ０）２＋（ｙｎ＋Ｃｙ−ｙ０）２｝１／２となる。よって、距離Ｌが所定距離Ｌｆより大きければ、オブジェクト画像ＯＩを解除領域ＲＡに移動させる操作がユーザによりなされたと判断される。これにより、キーロック機能が解除される。
【００７７】
このように、キーロック機能が解除されると、キーロック機能を解除するための操作以外の入力も受け付けられ、入力に応じた処理が実行される。
【００７８】
フリックによりリリースされた時点でオブジェクト画像ＯＩの移動距離Ｃおよび距離Ｌが求められて、距離Ｌが所定距離Ｌｆに達していれば、キーロック機能が解除され、解除画面から操作画面に切り替えられる。このため、フリックによりオブジェクト画像ＯＩが解除領域ＲＡへ移動させる操作がなされても、オブジェクト画像ＯＩが解除領域ＲＡへ移動するまでの時間に比べて、解除画面から操作画面に切り替えられる時間が短い場合、オブジェクト画像ＯＩの表示位置Ｐが解除領域ＲＡに達する前に、操作画面に切り替えられることもある。このように、フリックによりオブジェクト画像ＯＩの表示位置Ｐを解除領域ＲＡに移動させる操作がなされると、実際にオブジェクト画像ＯＩが解除領域ＲＡに移動させられたことが表示されない場合もある。
【００７９】
＜第１の実施形態の処理手順＞
図４（ａ）は、オブジェクト画像ＯＩが開始位置Ｐ０に配された解除画面を各表示面１１ａ１、２１ａ１に表示した図である。図４（ｂ）は、オブジェクト画像ＯＩが開始位置Ｐ０から表示位置Ｐへ移動させられた解除画面を各表示面１１ａ１、２１ａ１に表示した図である。図５は、オブジェクト画像ＯＩがリリース時の表示位置Ｐｎから表示位置Ｐへ移動させられた解除画面を各表示面１１ａ１、２１ａ１に表示した図である。図６は、フリックまたはスライドによりオブジェクト画像ＯＩの表示位置Ｐを解除領域ＲＡに移動させる操作がなされると、キーロック機能を解除する処理手順を示すフローチャートである。
【００８０】
所定時間、各表示面１１ａ１、２１ａ１やハードキー３７に対して操作がなされないと、キーロック機能が設定される（Ｓ１０１）。
【００８１】
キーロック機能が設定されると、解除画面が第１および第２表示面１１ａ１、２１ａ１に表示される（Ｓ１０２）。解除画面のオブジェクト画像ＯＩは開始位置Ｐ０に配されている。
【００８２】
オブジェクト画像ＯＩに対する操作がなされたか否かが監視される（Ｓ１０３）。第１タッチセンサ１２からの位置信号がＣＰＵ１００へ出力されない場合や、位置信号が出力されても位置信号の入力位置が開始位置Ｐ０に一致しない場合に、オブジェクト画像ＯＩがユーザによりタッチされていないと判断される（Ｓ１０３：ＹＥＳ）。
【００８３】
このように、解除画面が表示されてから第１タッチセンサ１２からの位置信号が開始位置Ｐ０に一致しない状態が所定時間以上継続すれば、オブジェクト画像ＯＩがタッチされないまま所定時間が経過したと判断される（Ｓ１０４：ＹＥＳ）。これにより、省電力機能が設定されて、各表示面１１ａ１、２１ａ１が消灯される（Ｓ１０５）。各表示面１１ａ１、２１ａ１が消灯されている間、各表示面１１ａ１、２１ａ１に対する操作が無効となる。
【００８４】
ハードキー３７が押されると、ユーザによる操作が行われたと判断され（Ｓ１０６：ＹＥＳ）、省電力機能が解除され、各表示面１１ａ１、２１ａ１に解除画面が表示される（Ｓ１０２）。各表示面１１ａ１、２１ａ１に解除画面が表示されても、キーロック機能は解除されていないことから、オブジェクト画像ＯＩに対する入力は有効であるが、これ以外の表示領域に対する入力は無効のままである。
【００８５】
第１タッチセンサ１２からの位置信号の入力位置が開始位置Ｐ０に一致すると、オブジェクト画像ＯＩがユーザによりタッチされたと判断される（Ｓ１０３：ＮＯ）。
【００８６】
オブジェクト画像ＯＩにタッチされた指が第１表示面１１ａ１からリリースされたか否かが監視される（Ｓ１０８）。
【００８７】
指がリリースされていなければ（Ｓ１０８：ＮＯ）、第１表示面１１ａ１上を指がスライドしているため、入力位置に合わせてオブジェクト画像ＯＩの表示位置Ｐが移動するとともに、開始位置Ｐ０から表示位置Ｐへの距離Ｌが算出される（Ｓ１０９）。
【００８８】
開始位置Ｐ０から表示位置Ｐへの距離Ｌが所定距離Ｌｆと比較され、オブジェクト画像ＯＩを解除領域ＲＡへ移動させる操作がなされたか否かが監視される（Ｓ１１０）。距離Ｌが所定距離Ｌｆ以上であれば、オブジェクト画像ＯＩの表示位置Ｐは解除領域ＲＡへ移動させられたと判断される（Ｓ１１０：ＹＥＳ）。これにより、キーロック機能が解除され、各表示面１１ａ１、２１ａ１に操作画面が表示される（Ｓ１１１）。
【００８９】
距離Ｌが所定距離Ｌｆ未満であれば、オブジェクト画像ＯＩの表示位置Ｐは解除領域ＲＡへ至っていない（Ｓ１１０：ＮＯ）。このため、引き続き、オブジェクト画像ＯＩにタッチされた指がリリースされていない間、入力位置に応じてオブジェクト画像ＯＩが移動される（Ｓ１０９）。また、距離Ｌが求められて、距離Ｌが所定距離Ｌｆに達するか否かが監視される（Ｓ１１０）。
【００９０】
一方、ユーザがオブジェクト画像ＯＩにタッチした指をフリックすると、指が第１表示面１１ａ１からリリースされたと判断される（Ｓ１０８：ＹＥＳ）。操作量−移動距離対応情報に基づいてリリース前の入力位置の移動速度からリリース後のオブジェクト画像ＯＩの移動速度および移動距離Ｃが求められる。そして、オブジェクト画像ＯＩの表示位置Ｐが、求められた移動速度で移動される。また、リリース時の表示位置Ｐｎおよび移動距離Ｃからフリックにより移動後の表示位置Ｐおよび距離Ｌが求められる（Ｓ１１２）。
【００９１】
フリックにより、オブジェクト画像ＯＩの表示位置Ｐがリリース時の表示位置Ｐｎから移動距離Ｃだけ移動された場合、距離Ｌが所定距離Ｌｆより大きければ、オブジェクト画像ＯＩの表示位置Ｐを解除領域ＲＡに移動させる操作がなされたと判断され（Ｓ１１３：ＹＥＳ）、キーロック機能が解除される（Ｓ１１１）。
【００９２】
オブジェクト画像ＯＩの表示位置Ｐが解除領域ＲＡに達しなければ（Ｓ１１３：ＮＯ）、オブジェクト画像ＯＩの表示位置Ｐが開始位置Ｐ０に戻される（Ｓ１１４）。そして、Ｓ１０３の処理に戻り、オブジェクト画像ＯＩがタッチされるか否かが再び監視される（Ｓ１０３）。
【００９３】
以上、本実施の形態によれば、ユーザが、オブジェクト画像ＯＩの開始位置Ｐ０にタッチし、タッチした指により表示面をフリックまたはスライドして、オブジェクト画像ＯＩを解除領域ＲＡへ移動させることにより、キーロック機能が解除される。このようなユーザによる一連の動きにより、キーロック機能の解除が判断されるため、ユーザの意図しない入力によりキーロック機能が解除され誤動作が生じるような事態が防がれる。
【００９４】
また、本実施の形態によれば、２つの表示面１１ａ１、２１ａ１に解除画面が表示されるので、１つの表示面に解除画面が表示される場合に比べて、開始位置Ｐ０から解除領域ＲＡまでの距離を十分にとることができる。これにより、キーロック機能を解除するためにオブジェクト画像ＯＩを長い距離を移動させなければならなくなるため、ユーザが意図しない入力が除外され易くなり、誤作動が一層防止される。さらに、開始位置Ｐ０から解除領域ＲＡまでの距離が長く設定されても、各表示面１１ａ１、２１ａ１の長手方向に限らず、長手方向に垂直な方向にも解除領域ＲＡが設けられる。よって、オブジェクト画像ＯＩが移動される方向が制限されず、操作性に優れる。
【００９５】
なお、このような作用効果を奏するため、携帯端末装置は、第１の表示部と、第２の表示部と、前記第１の表示部に対する入力を検出する第１の検出部と、前記第２の表示部に対する入力を検出する第２の検出部と、前記第１の表示部と前記第２の表示部を制御する表示制御部と、前記入力を無効にするキーロック機能の設定および解除を制御する機能制御部と、を備える。前記表示制御部は、前記第１の表示部における表示座標系および前記第２の表示部における表示座標系を連続させる制御を実行し、前記キーロック機能を解除するための解除画面を前記第１の表示部および前記第２の表示部に表示させ、前記第１の検出部および前記第２の検出部のいずれか一方により検出された入力に応じて、前記解除画面に含まれるオブジェクト画像の位置を移動させる。前記機能制御部は、前記解除画面において前記第１の表示部および前記第２の表示部に前記キーロック機能の解除領域を設定し、前記第１の検出部および前記第２の検出部の一方により前記オブジェクト画像の位置を前記解除領域に移動させる入力が検出されると、前記キーロック機能を解除する。
【００９６】
＜第２実施形態＞
第１の実施形態では、フリックまたはスライドによりオブジェクト画像ＯＩの表示位置Ｐを解除領域ＲＡに移動させる操作がなされると、キーロック機能が解除された。これに対し、第２実施形態では、スライドにより移動させられたオブジェクト画像ＯＩの表示位置Ｐがリリース時点において解除領域ＲＡにあると、キーロック機能が解除される。
【００９７】
図７は、リリース時点におけるオブジェクト画像ＯＩの表示位置Ｐが解除領域ＲＡにあることにより、キーロック機能が解除される処理手順を示すフローチャートである。図７におけるＳ２０１〜Ｓ２０７の処理は、それぞれ図６におけるＳ１０１〜Ｓ１０７の処理と同様であるため、説明は省略する。
【００９８】
オブジェクト画像ＯＩがユーザによりタッチされると（Ｓ２０３：ＮＯ）、その後、入力位置の移動に追随してオブジェクト画像ＯＩの表示位置Ｐが移動される（Ｓ２０８）。
【００９９】
ユーザがオブジェクト画像ＯＩにタッチした指をリリースするか否かが監視される（Ｓ２０９）。第１および第２タッチセンサ１２、２２が入力位置を検出しなくなると、指が各表示面１１ａ１、２１ａ１からリリースされたと判断される（Ｓ２０９：ＹＥＳ）。
【０１００】
リリース直前の入力位置がメモリ２００から読み出され、入力位置と開始位置Ｐ０との距離が算出される。入力位置はオブジェクト画像ＯＩの表示位置Ｐに対応することから、入力位置と開始位置Ｐ０との距離は開始位置Ｐ０と表示位置Ｐとの距離Ｌとして判断される。このため、入力位置と開始位置Ｐ０との距離から距離Ｌが求められる（Ｓ２１０）。
【０１０１】
求めた距離Ｌが所定距離Ｌｆ以上であれば、リリース時のオブジェクト画像ＯＩの表示位置Ｐは解除領域ＲＡ内であると判断される（Ｓ２１１：ＹＥＳ）。これにより、キーロック機能が解除される（Ｓ２１２）。キーロック機能が解除されると、各表示面１１ａ１、２１ａ１に操作画面が表示され、携帯電話機１が使用可能になる。
【０１０２】
オブジェクト画像ＯＩにタッチされた指がリリースされない間（Ｓ２０９：ＮＯ）、ユーザの入力位置に応じてオブジェクト画像ＯＩが移動される（Ｓ２０８）。
【０１０３】
また、リリース時に求められたオブジェクト画像ＯＩの表示位置Ｐの距離Ｌが所定距離Ｌｆより短く、リリース時にオブジェクト画像ＯＩの表示位置Ｐが解除領域ＲＡになければ（Ｓ２１１：ＮＯ）、オブジェクト画像ＯＩの表示位置Ｐが開始位置Ｐ０に戻される（Ｓ２１３）。そして、Ｓ２０３の処理に戻り、オブジェクト画像ＯＩがタッチされるか否かが再び監視される（Ｓ２０３）。
【０１０４】
以上、本実施の形態によれば、ユーザは、オブジェクト画像ＯＩにタッチした指を各表示面１１ａ１、２１ａ１からリリースした時点において、オブジェクト画像ＯＩの表示位置Ｐが解除領域ＲＡへ移動させられている場合に、キーロック機能が解除される。即ち、ユーザの指が解除領域ＲＡ内で表示面１１ａ１、２１ａ２からリリースされると、キーロック機能が解除される。このように、リリース時点におけるオブジェクト画像ＯＩの表示位置Ｐからキーロック機能の解除が判断されることから、偶発的に表示位置Ｐが解除領域ＲＡに達しただけでキーロック機能が解除されてしまう場合などが排除される。よって、ユーザの意図に即してキーロック機能が解除され、誤動作が防止され得る。
【０１０５】
＜第３実施形態＞
第２実施形態では、スライドにより移動させられたオブジェクト画像ＯＩの表示位置Ｐがリリース時点において解除領域ＲＡにあると、キーロック機能が解除された。これに対し、第３実施形態では、スライドにより移動させられたオブジェクト画像ＯＩの表示位置Ｐが所定時間の間、解除領域ＲＡにあると、キーロック機能が解除される。
【０１０６】
図８は、所定時間の間、オブジェクト画像ＯＩの表示位置Ｐが解除領域ＲＡにあることにより、キーロック機能が解除される処理手順を示すフローチャートである。図８におけるＳ３０１〜Ｓ３０７の処理は、それぞれ図６におけるＳ１０１〜Ｓ１０７の処理と同様であるため、説明は省略する。
【０１０７】
ユーザがオブジェクト画像ＯＩに指をタッチしてから（Ｓ３０３：ＮＯ）、ユーザがオブジェクト画像ＯＩにタッチした指を各表示面１１ａ１、２１ａ１からリリースするまでの間（Ｓ３０８：ＮＯ）、入力位置に応じてオブジェクト画像ＯＩが移動される（Ｓ３０９）。
【０１０８】
また、オブジェクト画像ＯＩの表示位置Ｐが移動するに伴い、移動先の表示位置Ｐと開始位置Ｐ０との距離Ｌが算出される（Ｓ３１０）。
【０１０９】
開始位置Ｐ０から表示位置Ｐへの距離Ｌが所定距離Ｌｆと比較される（Ｓ３１１）。距離Ｌが所定距離Ｌｆ未満であれば、オブジェクト画像ＯＩが解除領域ＲＡに入っていない（Ｓ３１１：ＮＯ）。このため、オブジェクト画像ＯＩにタッチされた指がリリースされていない間（Ｓ３０８：ＮＯ）、入力位置の移動に合わせてオブジェクト画像ＯＩが移動される（Ｓ３０９）。そして、オブジェクト画像ＯＩの距離Ｌが算出され（Ｓ３１０）、距離Ｌが所定距離Ｌｆに達するか否かが監視される（Ｓ３１１）。
【０１１０】
距離Ｌが所定距離Ｌｆ以上になれば、オブジェクト画像ＯＩの表示位置Ｐは解除領域ＲＡへ移動させられたと判断される（Ｓ３１１：ＹＥＳ）。
【０１１１】
オブジェクト画像ＯＩが解除領域ＲＡに至ってから経過した時間が計測される。計測時間が所定時間を超えない間（Ｓ３１２：ＮＯ）、オブジェクト画像ＯＩの表示位置Ｐが解除領域ＲＡにあるか否かが監視される（Ｓ３０８、Ｓ３０９、Ｓ３１０、Ｓ３１１：ＹＥＳ）。オブジェクト画像ＯＩが解除領域ＲＡに位置する間、経過時間の計測が続き、計測時間が所定時間を超えると（Ｓ３１２：ＹＥＳ）、オブジェクト画像ＯＩが所定時間以上解除領域ＲＡにあると判断され、キーロック機能が解除される（Ｓ３１３）。
【０１１２】
オブジェクト画像ＯＩが解除領域ＲＡに至らないまま、あるいは、解除領域ＲＡに至っても、所定時間が経過する前にオブジェクト画像ＯＩにタッチされた指がリリースされると（Ｓ３０８：ＹＥＳ）、オブジェクト画像ＯＩの表示位置Ｐが開始位置Ｐ０に戻されて（Ｓ３１４）、Ｓ３０３の処理に戻る。
【０１１３】
以上、本実施の形態によれば、ユーザは、オブジェクト画像ＯＩを解除領域ＲＡに移動させた上、オブジェクト画像ＯＩが解除領域ＲＡから出ないように維持することによって、キーロック機能が解除される。このように、オブジェクト画像ＯＩが解除領域ＲＡに存在する状態を継続する操作によりキーロック機能の解除が判断されることから、偶発的に表示位置Ｐが解除領域ＲＡに達してキーロック機能が解除されてしまう場合などが排除され、誤動作が防止される。
【０１１４】
＜第４実施形態＞
第３実施形態では、オブジェクト画像ＯＩの表示位置Ｐが所定時間の間継続して解除領域ＲＡにあれば、キーロック機能が解除された。これに対し、第４実施形態では、オブジェクト画像ＯＩの表示位置Ｐが所定時間の間継続して解除領域ＲＡの一定の位置にあれば、キーロック機能が解除される。一定の位置は、オブジェクト画像ＯＩが停止している地点だけでなく、停止している地点から所定領域も含む。
【０１１５】
図８は、所定時間の間、オブジェクト画像ＯＩの表示位置Ｐが解除領域ＲＡの一定の位置から移動しないことにより、キーロック機能が解除される処理手順を示すフローチャートである。図９におけるＳ４０１〜Ｓ４０７の処理はそれぞれ図６におけるＳ１０１〜Ｓ１０７の処理と同様であり、図９におけるＳ４０８〜Ｓ４１１、Ｓ４１３およびＳ４１４の処理は図８におけるＳ３０８〜Ｓ３１１、Ｓ３１３およびＳ３１４の処理と同様にあるため、説明は省略する。
【０１１６】
オブジェクト画像ＯＩの表示位置Ｐが解除領域ＲＡに至ると（Ｓ３１１：ＹＥＳ）、オブジェクト画像ＯＩにタッチされた指がリリースされていないか、およびオブジェクト画像ＯＩが解除領域ＲＡに存在していているかが監視される（Ｓ４０８、Ｓ４１１）。指がオブジェクト画像ＯＩにタッチされ、オブジェクト画像ＯＩが解除領域ＲＡに存在していれば（Ｓ４０８：ＮＯ、Ｓ４１１：ＹＥＳ）、オブジェクト画像ＯＩの表示位置Ｐが監視される（Ｓ４１２）。解除領域ＲＡにおいてオブジェクト画像ＯＩの表示位置Ｐが移動すると時間の計測が開始され、表示位置Ｐが再び変化すると、計測時間がリセットされてから計測が再び開始される。オブジェクト画像ＯＩの移動が停止すると、時間の計測が継続される。計測時間が経過時間を超えると、所定時間以上オブジェクト画像ＯＩが移動していないと判断される（Ｓ４１２：ＹＥＳ）。これにより、キーロック機能が解除される（Ｓ４１３）。
【０１１７】
以上、本実施の形態によれば、ユーザは、オブジェクト画像ＯＩを解除領域ＲＡに移動させた上、オブジェクト画像ＯＩを所定時間以上継続して解除領域ＲＡの同じ位置で停止させることによって、キーロック機能が解除される。このように、偶発的に表示位置Ｐが解除領域ＲＡに達してキーロック機能が解除されてしまう場合などが排除され、誤動作が防止される。
【０１１８】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１１９】
たとえば、上記実施形態では、開始位置ＰＯは予め定められた地点であったが、これに限定されない。たとえば、オブジェクト画像ＯＩがスライドにより移動されてから、フリックされる場合、フリックされた地点が開始位置と設定される。また、オブジェクト画像ＯＩがスライドにより移動されている場合、オブジェクト画像ＯＩが停止することなく連続的に移動した最初の地点が開始位置と設定される。
【０１２０】
また、上記実施形態では、キーロック機能の解除画面では、円形のオブジェクト画像ＯＩが表示されたが、解除画面はこれに限定されない。
【０１２１】
たとえば、図１０（ａ）に示す解除画面では、鍵および矢印を含む矩形状のオブジェクト画像ＯＩが第１表示面１１ａ１の端の開始位置に表示されている。このオブジェクト画像ＯＩがタッチされて所定距離以上移動されると、キーロック機能が解除される。
【０１２２】
また、図１０（ｂ）に示す解除画面では、円形のオブジェクト画像ＯＩが弧形状の経路上に表示されている。このオブジェクト画像ＯＩがタッチされて経路に沿って所定距離以上移動されると、キーロック機能が解除される。
【０１２３】
さらに、図１１（ａ）に示す解除画面では、鍵形状のオブジェクト画像ＯＩおよび錠画像が矩形の経路上に表示され、鍵形状のオブジェクト画像ＯＩと錠画像との間隔は所定距離離れている。鍵形状のオブジェクト画像ＯＩがタッチされて経路に沿って錠画像の位置まで移動されると、キーロック機能が解除される。
【０１２４】
また、図１１（ｂ）に示す解除画面では、画面の角が折り返されたような三角形のオブジェクト画像ＯＩが表示されている。このオブジェクト画像ＯＩがタッチされて所定距離以上移動されると、キーロック機能が解除される。この例では、オブジェクト画像ＯＩが移動するに従い、折り返し部分が拡がるように表示される。
【０１２５】
さらに、図１２に示す解除画面では、ロック済みのように所定の文字が示された弧形状のオブジェクト画像ＯＩが表示されている。このオブジェクト画像ＯＩがタッチされて所定距離以上移動されると、キーロック機能が解除される。
【０１２６】
また、上記実施形態において、オブジェクト画像ＯＩの移動が停止され、オブジェクト画像ＯＩがタッチされたまま、その後オブジェクト画像ＯＩを移動させる操作が所定時間以上継続してなされない場合に、オブジェクト画像ＯＩの表示位置Ｐがメモリ２００に記憶された後に、省電力機能が設定されてもよい。省電力機能が設定されると、第１および第２バックライト１１ｂ、２１ｂが消灯される。第１および第２バックライト１１ｂ、２１ｂが消灯されている間、キーロック機能が実行され、第１および第２表示面１１ａ１、２１ａ１に対する入力が無効に設定される。その後、省電力機能を解除するための所定のハードキー３７が操作されると、省電力機能が解除されて、第１および第２バックライト１１ｂ、２１ｂが点灯される。そして、省電力機能が実行される前のオブジェクト画像ＯＩの表示位置Ｐがメモリ２００から読み出されて、その表示位置Ｐにオブジェクト画像ＯＩが配置された解除画面が第１および第２表示面１１ａ１、２１ａ１に表示される。そして、メモリ２００から読み出された表示位置Ｐと開始位置Ｐ０との距離Ｌが算出され、距離Ｌが所定距離Ｌｆと比較される。距離Ｌが所定距離Ｌｆ以上であれば、キーロック機能が解除され、解除画面から操作画面に切り替えられる。一方、距離Ｌが所定距離Ｌｆ未満であれば、キーロック機能が維持されたまま、解除画面においてオブジェクト画像ＯＩが表示位置Ｐから開始位置Ｐ０に移動する。これにより、キーロック機能を解除する操作の間に省電力機能などが実行されても、省電力機能解除後に操作内容が維持されているため、改めて操作し直す必要がなく、利便性に優れる。
【０１２７】
さらに、上記のように、省電力機能が解除されたときに、オブジェクト画像ＯＩがメモリ２００から読み出された表示位置Ｐに配置されるのではなく、オブジェクト画像ＯＩが開始位置Ｐ０に配置されても良い。
【０１２８】
また、上記実施形態では、オブジェクト画像ＯＩの表示位置Ｐが解除領域ＲＡに達しなければ、オブジェクト画像ＯＩの表示位置Ｐが開始位置Ｐ０に戻された。この際に、オブジェクト画像ＯＩをより速く移動させるように促すためのコメントが各表示面１１ａ１、２１ａ１に表示されてもよい。
【０１２９】
さらに、上記実施形態では、省電力機能が設定されると、各バックライト１１ｂ、２１ｂが消灯されたが、各バックライト１１ｂ、２１ｂの輝度が下げられてもよい。この場合、省電力機能が解除されると、各バックライト１１ｂ、２１ｂの輝度が上げられる。
【０１３０】
また、上記実施形態において、携帯電話機１の状態を切り替えることにより、キーロック機能の設定および解除を切り替えることもできる。たとえば、キーロック機能が設定されている場合に、携帯電話機１の状態が閉状態から開状態へ切り替えられると、キーロック機能が解除される。このように、携帯電話機１の切替操作だけでキーロック機能が解除されるため、キーロック機能を解除するための操作が必要なく、操作性に優れる。
【０１３１】
さらに、上記実施形態において、解除画面においてオブジェクト画像ＯＩを移動させる操作がなされている間に、着信報知がなされる場合やアラーム機能が起動する場合がある。このような場合、解除画面に代えて着信やアラームに対応する画面が第１および第２表示面１１ａ１、２１ａ１に表示され、各画面に対する入力が有効になる。このように、着信やアラームのように即座に対応する必要がある場合には、その機能の画面が表示され、その機能に対する操作が可能になるため、利便性に優れる。
【０１３２】
また、上記実施形態において、解除画面において、マナーモードの切り替えが可能な構成とされてもよい。図１３（ａ）〜図１３（ｃ）、図１４（ａ）および図１４（ｂ）に示すように、マナーモードを設定または解除する切替画像ＭＩが解除画面に表示される。切替画像ＭＩは報知手段を切り替えるための他のオブジェクト画像に相当し、キーロック機能を解除するためのオブジェクト画像ＯＩと異なる。報知手段には、音による報知および振動による報知が挙げられる。マナーモードが設定されると、振動による報知となり、マナーモードが解除されると、音による報知となる。
【０１３３】
具体的には、図１３（ａ）および図１３（ｂ）に示すように、閉状態では第１表示面１１ａ１に解除画面が表示される。解除画面にはオブジェクト画像ＯＩに加えて、マナーモードの切替画像ＭＩが表示される。マナーモードが設定されていない場合、図１３（ａ）に示すように、着信やアラームなどの報知手段として音がスピーカ３８から出力されることが切替画像ＭＩに表わされる。一方、マナーモードが設定されている場合、図１３（ｂ）に示すように、着信やアラームなどの報知手段として振動することが切替画像ＭＩに表わされる。
【０１３４】
キーロック機能の解除と同様に、切替画像ＭＩの開始位置から所定距離以上離れた領域に切替領域が設定される。ユーザの操作により切替画像ＭＩが切替領域に移動されると、マナーモードが設定または解除されて、報知手段が切り替えられる。たとえば、マナーモードが設定されていない状態において、図１３（ａ）に示す切替画像ＭＩが切替領域に移動されると、マナーモードが設定されて、図１３（ａ）に示す画面に代えて図１３（ｂ）に示す画面が表示される。このように切替画像ＭＩが切り替わることにより、音による報知から振動による報知に切り替えられたことがわかる。反対に、図１３（ｂ）に示す切替画像ＭＩが切替領域に移動されると、マナーモードが解除される。この場合、マナーモードは解除されたが、キーロック機能は維持されたままであるので、図１３（ａ）に示す解除画面が各表示面１１ａ１、２１ａ１には表示されたままである。図１３（ｂ）に示す切替画像ＭＩが切替領域に移動されることにより、マナーモードが解除されると同時に、キーロック機能が解除されてもよい。これにより、各表示面１１ａ１、２１ａ１には解除画面に代えて操作画面が表示される。
【０１３５】
図１３（ｃ）に示すように、携帯電話機１の向きが縦から横に変更された場合、解除画面におけるオブジェクト画像ＯＩおよび切替画像ＭＩなどの配置や表示方向が切り替えられる。また、図１４（ａ）および図１４（ｂ）に示すように、開状態においても、第１および第２表示面１１ａ１、２１ａ１に解除画面が表示され、第１表示面１１ａ１にオブジェクト画像ＯＩおよび切替画像ＭＩが配置される。ただし、開状態において、第２表示面２１ａ１にオブジェクト画像ＯＩおよび切替画像ＭＩが配置されてもよい。
【０１３６】
また、切替画像ＭＩが操作されている間、オブジェクト画像ＯＩが半透明に表示されてもよい。反対に、オブジェクト画像ＯＩが操作されている間、切替画像ＭＩが半透明に表示されてもよい。このように表示制御を行うことにより、切替画像ＭＩおよびオブジェクト画像ＯＩのいずれの画像が操作されているかをユーザに対して認識させることができる。
【０１３７】
図１５、図１６、図１７（ａ）および図１７（ｂ）は、携帯電話機１が閉じられ、第１表示面１１ａ１のみが外部に露出した状態においてキーロック機能を解除するための構成例について説明するための図である。
【０１３８】
図１５は、解除画面を第１表示面１１ａ１に表示した図である。図１６は、キーロック機能を解除する処理手順を示すフローチャートである。図１７（ａ）は、オブジェクト画像ＯＩにタッチされた指が、解除領域ＲＡの手前位置まで移動された状態を示す図である。図１７（ｂ）は、オブジェクト画像ＯＩにタッチされた指が、解除領域ＲＡ内に移動された状態を示す図である。
【０１３９】
図１５に示すように、本構成例では、解除画面において、開始位置Ｐ０（オブジェクト画像ＯＩが移動される前に表示される位置）を中心とし且つ所定距離Ｌｆ´を半径とする仮想の円（破線で示す）の外側の領域が、解除領域ＲＡに設定される。所定距離Ｌｆ´は、開始位置Ｐ０から第１表示面１１ａ１の左右の端までの距離より短い距離に設定されているため、解除領域ＲＡは、開始位置Ｐ０に表示されたオブジェクト画像ＯＩの全ての周囲に存在する。よって、ユーザは、オブジェクト画像ＯＩにタッチした指をいずれの方向に移動させても、指を解除領域ＲＡまで移動させることができる。
【０１４０】
解除画面に配された切替画像ＭＩの機能については、図１３（ａ）ないし図１４（ｂ）に示された切替画像ＭＩと同じであり、説明を省略する。
【０１４１】
図１６に示す処理手順に従い、キーロック機能を解除する処理がＣＰＵ１００により実行される。
【０１４２】
第１表示面１１ａ１に対して、所定時間、ユーザによる操作がなされず、キーロック機能が設定されると（Ｓ５０１）、第１表示面１１ａ１に解除画面が表示される（Ｓ５０２）。解除画面が表示される際には、個別表示座標系がメモリ２００から読み出され、個別表示座標系に基づいてＣＰＵ１００による制御がなされる。
【０１４３】
オブジェクト画像ＯＩに対しタッチがなされたか否かが監視される（Ｓ５０３）。タッチがなされないまま所定時間が経過すると（Ｓ５０４：ＹＥＳ）、省電力機能が設定されて、第１表示面１１ａ１が消灯される（Ｓ５０５）。ユーザにより解除操作がなされると（Ｓ５０６：ＹＥＳ）、省電力機能が解除される（Ｓ５０７）。
【０１４４】
ユーザは、キーロック機能を解除する場合、オブジェクト画像ＯＩに指をタッチし、タッチした指を所望の方向に移動させる。
【０１４５】
オブジェクト画像ＯＩに対しタッチがなされたことが検出されると（Ｓ５０３：ＮＯ）、開始位置Ｐ０と指によりタッチされている位置、即ち入力位置ＰＩとの距離Ｌが算出される（Ｓ５０８）。開始位置Ｐ０（ｘ０、ｙ０）と入力位置ＰＩ（ｘｍ、ｙｍ）との距離Ｌは、｛（ｘｍ−ｘ０）２＋（ｙｍ−ｙ０）２｝１／２で表わされる。
【０１４６】
算出された距離Ｌが所定距離Ｌｆ´と比較されることにより、入力位置ＰＩが解除領域ＲＡまで達したか、即ち、指が解除領域ＲＡまで移動されたか否かが判定される（Ｓ５０９）。
【０１４７】
入力位置ＰＩが解除領域ＲＡに達していなければ（Ｓ５０９：ＮＯ）、入力位置ＰＩの移動に追随してオブジェクト画像ＯＩの表示位置Ｐが移動される（Ｓ５１０）。図１７（ａ）に示すように、移動された指に追随してオブジェクト画像ＯＩが移動する。
【０１４８】
入力位置ＰＩが解除領域ＲＡに達する前に第１表示面１１ａ１から指がリリースされれば（Ｓ５１１：ＹＥＳ）、オブジェクト画像ＯＩの表示位置Ｐが開始位置Ｐ０に戻される（Ｓ５１２）。そして、Ｓ５０３の処理に戻り、オブジェクト画像ＯＩがタッチされたか否かが再び監視される（Ｓ５０３）。
【０１４９】
ユーザにより指が移動され続けると、指が解除領域ＲＡに達する。ステップＳ５０９において、入力位置ＰＩが解除領域ＲＡまで達したと判定されると（Ｓ５０９：ＹＥＳ）、入力位置ＰＩの移動に追随してオブジェクト画像ＯＩの表示位置Ｐが移動されず、オブジェクト画像ＯＩは、指（入力位置ＰＩ）の移動方向における解除領域ＲＡに至る直前の位置に維持される（Ｓ５１３）。図１７（ｂ）に示すように、ユーザの指は解除領域ＲＡ内に移動されているにも関わらず、オブジェクト画像ＯＩは、解除領域ＲＡに至る直前の位置に留められる。
【０１５０】
こうして、ユーザの指が解除領域ＲＡにある状態で、第１表示面１１ａ１から指がリリースされれば（Ｓ５１４：ＹＥＳ）、ロック機能が解除される（Ｓ５１５）。
【０１５１】
このように、本構成例では、キーロック機能の解除のためにオブジェクト画像ＯＩが移動される方向が一つに制限されないように、オブジェクト画像ＯＩの周囲全てに解除領域ＲＡが設けられている。よって、ユーザは、いずれの方向にオブジェクト画像ＯＩを移動させてもキーロック機能を解除でき、ユーザに対する利便性が高まる。
【０１５２】
さらに、本構成例では、指が解除領域ＲＡまで移動されても、オブジェクト画像ＯＩは、解除領域ＲＡの手前位置に留められるので、ユーザは、オブジェクト画像ＯＩが指の動きに追従しなくなったことにより、指が解除領域に達したことを認識できる。そのため、ユーザにより不要な移動操作が行われることを防止できる。
【０１５３】
図１８、図１９、図２０（ａ）および図２０（ｂ）は、図１５ないし図１７（ｂ）に示す構成の変更例について説明する図である。図１８は、解除画面を第１表示面１１ａ１に表示した図である。図１９は、キーロック機能を解除する処理手順を示すフローチャートである。図２０（ａ）は、オブジェクト画像ＯＩにタッチされた指が、静止領域ＳＡの手前位置まで移動された状態を示す図である。図１７（ｂ）は、オブジェクト画像ＯＩにタッチされた指が、解除領域ＲＡ内に移動された状態を示す図である。
【０１５４】
本変更例では、図１８に示すように、解除領域ＲＡを区画する仮想の円（破線で示す）と、所定距離Ｌｆ´よりも所定の長さＬａだけ短い距離Ｌｂを半径とする仮想の円（一点鎖線で示す）との間の領域が、静止領域ＳＡに設定される。この静止領域ＳＡは、指の移動に追随してオブジェクト画像ＯＩが移動しない領域である。
【０１５５】
本変更例では、図１９に示す通り、上記構成例のキーロック解除の処理における、ステップＳ５０８からＳ５１５の処理が、ステップＳ５２０からＳ５２９の処理に置き換えられる。ステップＳ５０１からＳ５０７の処理は、上記構成例と同じであるため、図１９において図示を省略するとともに、説明を省略する。
【０１５６】
図１９を参照して、オブジェクト画像ＯＩに対しタッチがなされたことが検出されると（Ｓ５０３：ＮＯ）、開始位置Ｐ０と入力位置ＰＩとの距離Ｌが算出される（Ｓ５２０）。算出された距離Ｌが所定距離Ｌｆ´と比較されることにより、入力位置ＰＩが解除領域ＲＡまで達したか否かが判定される（Ｓ５２１）。
【０１５７】
入力位置ＰＩが解除領域ＲＡに達していなければ（Ｓ５２１：ＮＯ）、算出された距離Ｌが距離Ｌｂと比較されることにより、入力位置ＰＩが静止領域ＳＡまで達したか、即ち、指が静止領域ＳＡまで移動されたか否かが判定される（Ｓ５２２）。入力位置ＰＩが静止領域ＳＡに達していなければ（Ｓ５２２：ＮＯ）、入力位置ＰＩの移動に追随してオブジェクト画像ＯＩの表示位置Ｐが移動される（Ｓ５２３）。図２０（ａ）に示すように、移動された指に追随してオブジェクト画像ＯＩが移動する。
【０１５８】
指が静止領域ＳＡまで移動されると、入力位置ＰＩが静止領域ＳＡに達したと判定される（Ｓ５２２：ＹＥＳ）。この場合、入力位置ＰＩの移動に追随してオブジェクト画像ＯＩの表示位置Ｐが移動されず、オブジェクト画像ＯＩは、指（入力位置ＰＩ）の移動方向における静止領域ＳＡに至る直前の位置に維持される（Ｓ５２４）。
【０１５９】
入力位置ＰＩが解除領域ＲＡに達する前に、即ち、入力位置ＰＩが静止領域ＳＡ内および静止領域ＳＡの手前の位置にある状態で第１表示面１１ａ１から指がリリースされれば（Ｓ５２５：ＹＥＳ）、オブジェクト画像ＯＩの表示位置Ｐが開始位置Ｐ０に戻される（Ｓ５２６）。そして、Ｓ５０３の処理に戻り、オブジェクト画像ＯＩがタッチされたか否かが再び監視される。
【０１６０】
ユーザの指が静止領域ＳＡを越えて解除領域ＲＡに達すると、ステップＳ５２１において、入力位置ＰＩが解除領域ＲＡまで達したと判定される（Ｓ５２１：ＹＥＳ）。オブジェクト画像ＯＩの表示位置Ｐは、静止領域ＲＡに至る直前の位置に維持され続ける（Ｓ５２７）。図２０（ｂ）に示すように、ユーザの指は解除領域ＲＡ内に移動されているにも関わらず、オブジェクト画像ＯＩは、静止領域ＳＡに至る直前の位置、即ち、解除領域ＲＡより所定長さＬａ離れた手前位置に留められる。
【０１６１】
こうして、ユーザの指が解除領域ＲＡにある状態で、第１表示面１１ａ１から指がリリースされれば（Ｓ５２８：ＹＥＳ）、ロック機能が解除される（Ｓ５２９）。
【０１６２】
本変更例では、解除領域ＲＡより所定の長さＬａだけ手前の位置まで指が移動されると、その位置でオブジェクト画像ＯＩが留められる。このため、指が解除領域ＲＡに達したときには、指がオブジェクト画像ＯＩの真上の位置から外れた状態となる。よって、ユーザは、指が解除領域ＲＡに達するとすぐにオブジェクト画像ＯＩが静止したことを確認しやすくなるので、不要な移動操作を一層防止できる。
【０１６３】
上記構成例および上記変更例では、所定距離Ｌｆ´が開始位置Ｐ０から第１表示面１１ａ１の左右の端までの距離より短い距離に設定された。しかしながら、所定距離Ｌｆ´が開始位置Ｐ０から第１表示面１１ａ１の左右の端までの距離より長い距離に設定されても良い。この場合、解除画面の左右方向に、解除領域ＲＡが一部設けられなくなる。しかしながら、キーロック機能を解除するためにオブジェクト画像ＯＩが移動される方向は一つの制限されることがないので、ユーザに対する利便性が高められる。
【０１６４】
上記変更例におけるキーロック解除の処理は、さらに、図２１（ａ）に示すように変更することができる。更なる変更例では、ユーザの指が解除領域ＲＡに達すると（Ｓ５２１：ＹＥＳ）、ＣＰＵ１００により、オブジェクト画像ＯＩの表示位置Ｐが、静止領域ＲＡに至る直前の位置に維持され続けるとともに（Ｓ５２７）、オブジェクト画像ＯＩの表示態様が変更される（Ｓ５３０）。たとえば、図２１（ｂ）に示すように、オブジェクト画像ＯＩの色が変更される。あるいは、図２１（ｃ）に示すように、オブジェクト画像ＯＩの形状が変更される。図２１（ｃ）の例では、真円形状であったオブジェクト画像ＯＩが指の移動方向に長い楕円形状に変更されている。しかしながら、オブジェクト画像ＯＩが、四角形状等、他の形状に変更されても良い。さらには、表示態様の変更は色や形状等の変更に限られず、たとえば、オブジェクト画像ＯＩの輝度が変更されても良い。このような構成とすれば、キーロック解除可能な状態であることを、ユーザがより明確に認識できる。
【０１６５】
上記構成例および上記変更例は、２つのタッチパネルが設けられた携帯電話機に限らず、１つのタッチパネル（デイスプレイおよびタッチセンサ）が設けられた携帯電話機に適用することもできる。
【０１６６】
さらに、上記実施形態では、２つのタッチパネルを携帯電話機１に設けたが、３つ以上のタッチパネルを設けることもできる。
【０１６７】
また、上記実施形態では、携帯電話機１を用いたが、ＰＤＡや携帯ゲーム機などの携帯端末装置を用いることもできる。
【０１６８】
この他、本発明の実施の形態は、請求の範囲に示された技術的思想の範囲内において、適宜、種々の変更が可能である。たとえば、上記実施形態の一部または全部を組み合わせることができる。
【符号の説明】
【０１６９】
１  携帯電話機
１１  第１ディスプレイ
１２  第１タッチセンサ
２１  第２ディスプレイ
２２  第２タッチセンサ
１００  ＣＰＵ
２００  メモリ
ＯＩ  オブジェクト画像
ＭＩ  切替画像
【図１】
2012124454.tif 000003
【図２】
2012124454.tif 000004
【図３】
2012124454.tif 000005
【図４】
2012124454.tif 000006
【図５】
2012124454.tif 000007
【図６】
2012124454.tif 000008
【図７】
2012124454.tif 000009
【図８】
2012124454.tif 000010
【図９】
2012124454.tif 000011
【図１０】
2012124454.tif 000012
【図１１】
2012124454.tif 000013
【図１２】
2012124454.tif 000014
【図１３】
2012124454.tif 000015
【図１４】
2012124454.tif 000016
【図１５】
2012124454.tif 000017
【図１６】
2012124454.tif 000018
【図１７】
2012124454.tif 000019
【図１８】
2012124454.tif 000020
【図１９】
2012124454.tif 000021
【図２０】
2012124454.tif 000022
【図２１】
2012124454.tif 000023
【国際調査報告】
2012124454.tif 000024
2012124454.tif 000025